(57)【要約】本発明は、減圧軽油沸騰内で沸騰する材料（１）を高品質の中間留分及び／又はナフサ及びより軽質の生成物に変換するための方法、より詳しくは、単一水素ループを使用した多段方法を対象とする。一実施形態は、第１及び第２段の間にある高温ストリッパ（８）及び分離機を対象とし、第２の実施形態は、水素化分解域及び水素化精製域の間の温度制御を対象とする。すべての実施形態で、単一水素ループを使用する。
2005520918.tif 000002
【特許請求の範囲】
【請求項１】
炭化水素原料油を水素化処理する方法であって、単一水素ループ内の多段反応域を使用し、
（ａ）炭化水素原料油を、水素化処理触媒を含む１つ又は複数の層を有する第１水素化処理域へ送り、前記水素化処理域を水素化処理条件に維持しておき、原料油を触媒及び水素に接触させるステップと、
（ｂ）ステップ（ａ）の流出液を直接高温高圧分離機へ送り、前記流出液を高温で水素に富むストリッピングガスに接触させて、水素、炭化水素原料油の沸騰範囲を超えない温度で沸騰する炭化水素化合物、硫化水素、アンモニアを含む蒸気の流れ、並びに前記炭化水素原料油とほぼ同じ範囲で沸騰する炭化水素化合物及びディーゼル燃料の沸騰範囲で沸騰する炭化水素化合物の一部を含むボトムの流れを生成するステップと、
（ｃ）ステップ（ｂ）からの前記蒸気の流れを、冷却し部分的に凝縮させた後、水素化精製触媒を少なくとも１層含む高温水素ストリッパに送り、そこで水素と対向流で接触させ、その間、ステップ（ｂ）の液体の流れを第２段反応器へ送るステップと、
（ｄ）ステップ（ｃ）の高温水素ストリッパからのオーバーヘッド蒸気の流れを、冷却し水と接触させた後、第１低温高圧分離機へ送り、そこで水素、硫化水素及び軽質炭化水素ガスを上部で除去し、ナフサ及び中間留分を含む液体の流れを分別に送り、それによりアンモニアの大部分及び硫化水素のいくらかを（サワー水が低温高圧分離機を離れるときに、そのサワー水中の重硫化アンモニウムとして）除去するステップと、
（ｅ）ステップ（ｃ）の高温水素ストリッパからの液体の流れを、第２反応器段の水素化処理触媒層へ送り、そこで前記液体を水素の存在下で、水素化処理条件の下に触媒と接触させるステップと、
（ｆ）ステップ（ｄ）の低温高圧分離機からのオーバーヘッドをアミン吸収装置へ送り、そこで水素を圧縮し、ループ内の水素化処理容器へ再循環させる前に、硫化水素を除去するステップと、
（ｇ）ステップ（ｂ）の分離機のボトムを第２反応段へ送り、そこで水素の存在下で水素化分解触媒の少なくとも１つの層と接触させて、蒸気の流れ及び液体流出液を生成するステップと、
（ｈ）ステップ（ｇ）の蒸気の流れを、冷却した後、第２低温高圧分離機へ送り、そこで主として水素及び軽質炭化水素ガスを含む蒸気の流れを除去するステップと、
（ｉ）ステップ（ｇ）の液体流出液を、冷却した後、ステップ（ｈ）の低温高圧分離機へ送り、前記液体流出液から、水素及び炭化水素ガスを分離するステップと、
（ｊ）ステップ（ｈ）及び（ｉ）からの蒸気の流れを、さらに冷却し、凝縮液を分離した後、補給水素圧縮機へ送るステップと、
（ｋ）補給水素圧縮機からの圧縮水素を主反応器ループへ送るステップと、
（ｌ）ステップ（ｈ）及び（ｉ）からの液体流出液を分別システムへ送るステップと
を含む方法。
【請求項２】
請求項１のステップ（ｇ）で、請求項１のステップ（ｂ）の液体流出液に対して対向流となる方向に、水素が流れる請求項１に記載の方法。
【請求項３】
供給原料が、減圧軽油、重質常圧軽油、ディレードコーカー軽油、ビスブレーカー軽油、脱金属油、ＦＣＣライトサイクルオイル、減圧残油脱歴油、フィッシャー−トロプシュ流れ、及びＦＣＣ流れから成る群から選択される、請求項１に記載の方法。
【請求項４】
ステップ（ｅ）で行われるセタン価の改善が、２０〜４５の範囲である、請求項１に記載の方法。
【請求項５】
ステップ（ｅ）で行われる灯油煙点の改善が、７〜２７の範囲である、請求項１に記載の方法。
【請求項６】
段１及び段２の水素化処理触媒が、分解成分及び水素化成分を含む、請求項１に記載の方法。
【請求項７】
少なくとも２つの段を有する統合水素化変換方法であって、各段は少なくとも１つの反応域を有し：
（ａ）第１精油装置流れを第１の水素に富むガス流れと一緒にして、第１の原料油を形成すること、
（ｂ）前記第１の原料油を、沸騰範囲の変換をもたらすのに十分な条件に維持されている第１段の反応域へ送って、正常な液相成分及び正常な気相成分を含む第１反応域の流出液を形成すること、
（ｃ）ステップ（ｂ）の第１反応域流出液を１台の熱交換機又は一連の熱交換機へ送り、そこで第２の精油装置流れと熱交換すること、
（ｄ）ステップ（ｂ）の第１反応域流出液をステップ（ｃ）の第２の精油装置流れと一緒にして第２の原料油を形成すること、
（ｅ）ステップ（ｄ）の前記第２原料油を、第２精油装置流れ中の芳香族化合物の少なくとも一部を変換するのに十分な条件に維持されている第２段の反応域へ送って、第２反応域流出液を形成すること、
（ｆ）ステップ（ｅ）の第２反応域流出液を、生成物を含む流れと第２の水素に富むガス流れとに分離すること、
（ｇ）ステップ（ｆ）の第２の水素に富むガス流れの少なくとも一部を、第１段の反応域へ再循環させること、及び
（ｈ）ステップ（ｆ）の生成物を含む液体流れを分留塔へ送り、生成物の流れが、上部から除去されるガス又はナフサの流れ、１つ又は複数の中間留分流れ、並びにさらに処理するのに適したボトム流れを含むこと
を含む方法。
【請求項８】
ステップ１（ｂ）段の反応域が、約３４０℃〜約４５５℃（６４４°Ｆ〜８５１°Ｆ）の範囲の反応温度、約３．５〜２４．２ＭＰａ（５００〜３５００ｐｓｉ）の範囲の反応圧力、約０．１〜約１０ｈｒ-1の供給原料速度（油の容積／触媒の容積・時間）及び約３５０標準リットルＨ2／ｋｇ油〜１７８０標準リットルＨ2／ｋｇ油（２３１０〜１１７５０標準立方フィート／バレル）の範囲の水素循環速度を含む、水素化分解反応条件に維持されている請求項７に記載の方法。
【請求項９】
ステップ１（ｅ）段の反応域が、約２５０℃〜約５００℃（４８２°Ｆ〜９３２°Ｆ）の範囲の反応温度、約３．５〜２４．２ＭＰａ（５００〜３５００ｐｓｉ）の範囲の反応圧力、約０．１〜約２０ｈｒ-1の供給原料速度（油の容積／触媒の容積・時間）及び約３５０標準リットルＨ2／ｋｇ油〜１７８０標準リットルＨ2／ｋｇ油（２３１０〜１１７５０標準立方フィート／バレル）の範囲の水素循環速度を含む、水素化精製反応条件に維持されている請求項７に記載の方法。
【請求項１０】
少なくとも２つの段を有する統合水素化変換法であって、各段が少なくとも１つの反応域を有し、
（ａ）第１精油装置流れを第１の水素に富むガス流れと一緒にして、第１原料油を形成すること、
（ｂ）前記第１原料油を、沸騰範囲の変換をもたらすのに十分な条件に維持された第１段の反応域へ送って、正常な液相成分及び正常な気相成分を含む第１反応域流出液を形成すること、
（ｃ）ステップ（ｂ）の前記第１反応域流出液を１台の熱交換機又は一連の熱交換機へ送り、そこで他の精油装置流れと熱交換させること、
（ｄ）ステップ（ｃ）の流出液を高温高圧分離機へ送り、そこで分別に送られる液体流れと、ライトサイクルオイル、軽油、常圧軽油及び３種類すべての混合物を含む第２精油装置流れと一緒にされるガス流れとに分離すること、
（ｅ）ステップ（ｄ）の一緒にしたガス流れを、第２精油装置流れ中の芳香族化合物の少なくとも一部を変換するのに十分な条件に維持された第２段の反応域へ送って、第２反応域流出液を形成すること、
（ｆ）ステップ（ｅ）の前記第２反応域流出液を、生成物を含む液体流れと、第２の水素に富むガス流れとに分離すること、
（ｇ）ステップ（ｆ）の前記第２の水素に富むガス流れの少なくとも一部を第１段の反応域へ再循環させること、及び
（ｈ）ステップ（ｆ）の生成物を含む液体流れを分留塔へ送り、生成物の流れが上部で除去されるガス又はナフサの流れ、１種又は複数の中間留分の流れ、並びにさらに処理するのに適したボトム流れを含むこと
を含む方法。
【発明の詳細な説明】
【技術分野】
【０００１】
本発明は、減圧軽油（Ｖａｃｕｕｍ  Ｇａｓ  Ｏｉｌ）の沸騰範囲で沸騰する材料を高品質の中間留分及び／又はナフサ並びにより軽質の生成物に変換する方法、より詳しくは、単一の水素ループを用いた多段方法を対象とする。
【背景技術】
【０００２】
原油の精製においては、単一反応段又は多段反応段を利用して重質軽油をより軽質の生成物に変換するために、軽油水素化分解装置が使用されている。たいていの場合、さまざまな反応段が、同じ圧力水準で実施される。圧力水準が異なる場合は、分離水素ループが使用される。多段反応段は、以下のことを達成するために用いられる：
・全体として、最小の反応器容積及び触媒容積を使用した高変換
・より良好な生成物品質
・より少ない水素消費
【０００３】
しかし、多反応システムを使用すると、多数の、費用のかかる高圧ポンプ及び圧縮機を含むより多くの装置が必要となる。
【０００４】
米国特許第５，９８０，７２９号には、単一水素ループ中に多数の反応域を有する構成が開示されている。この方法では、脱窒／脱硫域の下流でホットストリッパを使用する。ホットストリッパからの液体が、水素化精製反応器の上流の水素化分解反応器へ汲み上げられる。分別部門からの再循環油も水素化分解反応装置にポンプで戻される。
【０００５】
通常の水素化分解法では、水素を気相から、触媒表面で石油分子と反応するのに水素が利用できる液相に移すことが必要である。これは、触媒層を通して大容積の水素ガス及び油を巡回させることによって実現される。油及び水素は層を通り抜け、水素は触媒上に分布した油の薄膜中に吸収される。必要な水素の量は、１０００〜５０００標準立方フィート／液体バレル（標準立方フィート／１バレルの液体）と大きくなることがあり、必要な触媒の量も大きくなり得るので、反応装置は非常に大きくなり、かつ数百ｐｓｉ〜５０００ｐｓｉもある大きな圧力及び約４００°Ｆ〜９００°Ｆの温度という過酷な条件で稼働する可能性がある。
【０００６】
米国特許第６，２２４，７４７号には、統合水素化変換プロセス内で水素化分解反応域でＶＧＯの流れを水素化分解することが、教示されている。水素化分解反応域からの流出物は、軽質の、芳香族含有供給原料流れ、及び水素化精製反応域で水素化精製される混合した流れと一緒にされる。水素化分解された流出液は、水素化精製反応域のヒートシンクの役割を果たす。統合反応システムは、２つの反応システムで使用するための、単一の水素供給・再循環システムを提供する。しかし、水素化分解反応域と水素化精製反応域の間では、温度制御が行われていない。
【０００７】
米国特許第３，５９２，７５７号（Ｂａｒａｌ）では、本発明と同様に、熱交換機による域間での温度制御が説明されている。Ｂａｒａｌは、本発明で行っているような、単一水素ループを使用していない。Ｂａｒａｌは、水素化分解装置（ｈｙｄｒｏｃｒａｃｋｅｒ）と直列で運転する（水素化精製装置（ｈｙｄｒｏｔｒｅａｔｅｒ）に類似の）ハイドロファイナ（ｈｙｄｒｏｆｉｎｅｒ）を開示しているが、このとき、生成物の一部が水素化装置に供給される。軽油供給原料は、補給水素及び再循環水素と共にハイドロファイナへ供給される。再循環流れ及び添加再循環水素は、ハイドロファイナの生成物の流れに加えられ、その混合物が水素化分解装置へ供給される。水素化分解装置生成物の流れは、冷却され、気体の流れ及び液体の流れへと分離される。気体の流れは、循環水素圧縮機に送られ、ハイドロファイナに再循環される。液体の流れは、トップ、中間、及びボトム流れに分別蒸留される。ボトム流れは、水素化分解装置に再循環される。中央流れは、補給水素圧縮機からの水素と混合され、水素化装置へ送られる。水素化装置から回収された水素は、補給水素圧縮機の段で圧縮され、ハイドロファイナへ送られる。
【０００８】
米国特許第５，１１４，５６２号（Ｈａｕｎら）では、留出炭化水素のための二段水素化脱硫（水素化精製に類似）及び水素化法を教示している。２つの段の間には熱交換があるが、単一水素ループは使用されていない。２つの分離した反応域が連続して使用され、第１反応域は水素化脱硫用であり、第２反応域は水素化用である。供給原料は、再循環された水素と混合され、脱硫反応器に供給される。硫化水素が、向流水素によって脱硫反応器の生成物からストリッピングされる。このストリッピング操作からの液状生成物の流れは、比較的清浄な再循環水素と混合され、その混合物は、水素化反応域に供給される。水素が水素化反応器から回収され、分離された流れとして脱硫反応器及び水素化反応器に再循環される。ストリッピング操作からの水素は、分離器を通過し、水素化反応器に送られる再循環水素の一部と混合され、圧縮され、処理ステップを通過し、水素化反応に再循環される。従って、炭化水素の供給流れは、脱硫及び水素化反応器を連続して通過し、一方、比較的低圧の水素は脱硫ステップ用に供給され、比較的高圧の水素は水素化ステップ用に供給される。
【発明の開示】
【課題を解決するための手段】
【０００９】
本発明の第１の実施形態を図１に開示する。この第１実施形態のプロセス構成は、多くの側面で米国特許第５，９８０，７２９号とは異なる。第１反応器は、再循環液体を使用しない、水素化精製−水素化分解の組合せ反応器である。
【００１０】
反応器の下流にあるホットストリッパからの液体は、水素化分解反応が完了する次の反応段に向けて減圧される。液体の輸送には、ポンプを使用しない。また、第２水素化分解段は、第１反応段より低い圧力で動作する。
【００１１】
本発明により、単一水素ループを使用して、中ないし高変換が達成できる。生成物の品質は、仕様、生成物損失の解消及び水素の節約を満たすように調整できる。反応段の圧力は、供給原料特性の固有のタイプに適した水準に保持され、すなわち、最も難しい供給原料を処理する第１段の反応器だけは、最高の圧力水準で動作しなければならない。この方法では、高温、高圧ポンプを必要としない。第２水素化分解反応器段は、本発明では主として補給水素である反応ガスに対して、並流又は向流モードで動作できる。第２水素化分解反応段には、水素分圧を最大にするために、高純度補給水素を供給する。第２段は、比較的低圧で水素化分解をするために使用することのできる、非常に活性の高い触媒が充填される。
【００１２】
本発明の第２の実施形態を図２及び３に開示する。減圧軽油の流れは、統合水素変換法の第１段水素化分解反応域で最初に水素化分解される。統合水素変換法は、少なくとも１つの水素化分解段及び少なくとも１つの水素化精製段を有する。第１段の水素化分解反応域からの流出液は、軽質の、芳香族含有供給原料の流れと一緒になり、その混合流れが、水素化精製反応域を備えた第２段で水素化精製される。第１段水素化分解反応域と第２段水素化精製反応域の間で熱交換が行われ、第１段水素化精製域の温度制御が可能になる。第１段水素精製装置の温度は、第１段水素化分解装置の温度より低い。このために、変換された炭化水素の芳香族飽和が向上し、さらにまた、第１段水素化精製域の触媒を、存在することもある次の水素化分解域の触媒とは異なったものにすることができる。一実施形態では、第１段水素化精製装置からの流出液は、熱交換機で加熱され、次いで、高温高圧分離機へ送られ、そこでオーバーヘッドの軽い端の部分が除去され、低温高圧分離機へ送られる。その低温高圧分離機では、水素及び硫化水素ガスが上部で除去され、ガソリン及びディーゼル燃料範囲で沸騰する材料が精留塔に送られる。次いで、硫化水素は吸収装置で除去され、水素は圧縮され、再循環されて、層間冷却材（ｉｎｔｅｒｂｅｄ  ｑｕｅｎｃｈ）として使用され、かつ減圧軽油供給原料と混合される。
【００１３】
ディーゼル燃料範囲で沸騰する物質を含有することもある、高温高圧分離機の液体流出液も精留塔へ送られる。次いで、精留塔のボトムは、水素化分解され、次に流出液が、図示されていない装置で水素化精製される。
【００１４】
本発明の第２の実施形態では、いくつかの注目に値する利点が提供される。本発明は、単一の水素供給及び単一の水素回収システムを用いて、２つの精油装置の流れを水素化処理する方法を提供する。さらに、本発明は、共通の水素原料の供給によって、１つの精油装置流れを水素化分解し、第２の精油装置流れを水素化精製する方法を提供する。水素化分解反応域への供給原料は、水素化精製反応域への供給原料中に存在している汚染物によって汚染されることはない。さらに、本発明は、触媒寿命を良好に、所望の生成物、特に留出物範囲の精製装置生成物の収率を高く維持しながら、統合水素化変換法における複数の異なった精油装置の流れを水素化処理することを対象にする。このような異なった精油装置の流れは、減圧軽油水素化精製装置の流出液から誘導される、他と比較して触媒汚染物及び／又は芳香族化合物をほとんど含まないＶＧＯ、及び相当な量の芳香族化合物を含有するＦＣＣ（Ｆｌｕｉｄ  Ｃａｔａｌｙｔｉｃ  Ｃｒａｃｋｉｎｇ  ｐｒｏｃｅｓｓ：流動接触分解装置）循環油又は直留ディーゼル燃料などの、異なった精製法に由来するものでよい。
【００１５】
添付の図は、単一水素化処理ループを用いた多段反応段を説明する図である。
【発明を実施するための最良の形態】
【００１６】
図１の説明
流れ１で供給される予熱された油は、予熱された循環及び補給水素ガス（反応器供給ガス）である、流れ４０の水素ガスと混合される。供給原料は、供給ポンプによって反応器の圧力にまで加圧されたプロセス熱交換機内で予熱されている。供給原料及び反応器供給ガスの混合物、ここでは流れ２、は、第１段の下降流固定層主反応器（３）に入る前に、熱交換（熱交換機４１内で）及び最終炉（４２）により、さらに予熱される。主反応器又は第１段反応器は、水素精製又は水素分解の触媒層でありうる、水素化処理触媒の多数の層を含む。循環ガス圧縮機からの冷えた水素は、層間冷却材（４、５、６）として使用される。
【００１７】
第１段反応器の流出液７は、水素化精製され、部分的には水素化分解されているが、硫化水素、アンモニア、軽質ガス、ナフサ、中間留分、及び水素化精製減圧軽油を含む。流出液は、少し低い圧力及び少し低い温度で、高温高圧分離機（８）に入り、そこでディーゼル燃料及びより軽い材料の大部分が、変換されない油から分離される。高温高圧分離機は、円板及びドーナツ型のトレーを有する。熱交換機３８で加熱された水素分の多いガスは、流れ９を通って、ストリッピングのためにボトムに導入される。
【００１８】
流れ１１は、高温高圧分離機からのオーバーヘッドを含む。この時点で、ライトサイクルオイル（ＬＣＯ）、ライトコーカー軽油（Ｌｉｇｈｔ  Ｃｏｋｅｒ  Ｇａｓ  Ｏｉｌ：ＬＣＧＯ）、常圧軽油（Ａｔｍｏｓｐｈｅｒｉｃ  Ｇａｓ  Ｏｉｌ：ＡＧＯ）、ライトビスブレーカー軽油（Ｌｉｇｈｔ  Ｖｉｓｂｒｅａｋｅｒ  Ｇａｓ  Ｏｉｌ：ＬＶＢＧＯ）などの中間留分沸騰範囲で沸騰する外部の原料を導入することができる（１０）。流れ１１は、高圧水素ストリッパ水素化精製装置（１４）に入る前に、プロセス熱交換又は蒸気発生により冷却される。流れ１１の中の液体は、水素化精製触媒が密に充填された層を通って下方に流れ、その間、流れ２５から逆方向に流れてくる水素と接触させられる。
【００１９】
上部の流れ１５は、いくらかの軽質ガス及びナフサと共に、主として水素、アンモニア及び硫化水素を含む。その流れは、低温高圧分離機第１号（１７）に供給される前に、プロセス熱交換（４４）、水との接触（４５）により冷却され、さらに、空気冷却（４６）により冷却される。水を注入することにより、水素ガスからアンモニアの大部分を重硫化アンモニウム溶液として除去することができる。水素、硫化水素及び軽い炭化水素ガスは、流れ１８として上部から除去される。流れ２０は、重硫化アンモニウムを含むサワー水の流れである。流れ１９は、ナフサ、灯油及びディーゼル燃料範囲の流出液を含む炭化水素の流れである。流れ１８は、アミン吸収装置（２１）に送られ、アミンと接触することにより、硫化水素のほとんど全量が水素に富む流れから除去される（４７）。硫化水素を除去した後、ガスは、圧縮のために循環ガス圧縮機（２３）へ送られる。圧縮された循環ガス（２４）は、流れ２５及び２６に分けられる。流れ２６は、さらに分けられて第１段の循環ガス供給（２７）及び第１段に冷却材を供給する流れ２８となる。危険なアミンは、流れ４８としてアミン吸収装置から離れる。
【００２０】
高温高圧分離機のボトム、及び流れ１２は、圧力が低減され、プロセス熱交換により冷却された後に、水素化分解反応が完了し、流れ１２中の変換されていない材料が、さらにディーゼル燃料及びより軽い流出液に変換される第２段反応器（３０）に供給される。第２段反応器には、補給水素圧縮機（４９）の中間段から高純度補給水素（３１）が供給される。好ましくは、水素は、水素分圧の利益を最大にするために、向流となって反応器を上向きに流れる。本発明は、補給水素を並流として導入することによっても動作するはずである。十分なガス対油の比を考慮した第２段反応器の供給ガス基準は、すべての反応段で必要とされる補給水素の全量を第２段反応器の前に導入することによって、満たすことができる。しかし、本発明には、流れ３５により循環ガス圧縮機から循環水素を導入するという前提がある。
【００２１】
第２反応段は、アンモニア及び硫化水素が含まれていない、清浄な環境下で動作し、従って、水素化分解速度定数は、はるかに大きい。触媒失活は、大きく減少する。これらの要因により、より低い水素分圧で、触媒必要量を減少させて、動作させることができる。
【００２２】
第２段反応器（３０）のより低い１段の層又は多段の層に水素化精製触媒を充填することができ、そこへ水素ストリッパ（１４）からのディーゼル燃料範囲の材料（１６）を導入し、芳香族飽和を完了させること及び他の水素化処理反応を行うことができる。或いは、流れ１６は、ディーゼル燃料としての品質が十分である場合は、直接分別部門へ方向転換されうる。
【００２３】
反応器３０中には、少なくとも２層、好ましくは、３から４層の、水素化処理触媒層が存在する。触媒は、卑金属又は貴金属の水素化処理触媒でよい。
【００２４】
反応器の塔頂からくる流れ３３は、いくらかのＨ２Ｓ及びアンモニアが存在することもあるが、主として水素を含む。その流れは、第２低温高圧分離機（１７．５）へ送られる前に、プロセス用熱交換（５０）によって冷却される。第２低温高圧分離機の上部の蒸気は、補給水素圧縮機（４９）へ、さらに圧縮の最終段へ向かう。
【００２５】
反応器３０からの液体流出液、流れ３４は、軽質ガス、ナフサ、中間留分及び水素化精製された軽油を含んでおり、プロセス用熱交換（５１）により冷却され、低温高圧分離機Ｎ０．２（１７．５）に送られる。
【００２６】
前記低温高圧分離機Ｎｏ．２からのボトム（線３７）は、分別に送られる。
【００２７】
補給水素圧縮機（４９）は、一般に３から４の圧縮段を有する多段機械である。各圧縮段の後、ガスは冷却され、いずれの凝縮液もノックアウトドラム（ＫＯＤ）中でノックアウトされる。本発明では、第２反応段へ向かうガスは、圧縮の中間段の後で回収される。ガス流れ（３１）は、第２反応段（３０）へ送られ、第２低温高圧分離機（流れ３６）を経由して補給水素圧縮機の最終圧縮段に戻される。
【００２８】
最終圧縮段の後で、高圧補給水素は、第１反応段、流れ３９及び高温分離機へ送られる。
【００２９】
ここで、本発明の好ましい実施形態を開示する図２を参照する。この図には、熱交換機、凝縮器、ポンプ及び圧縮機などのさまざまな補助装置が含まれていないが、それらは、本発明にとって必須ではない。
【００３０】
図２では、２つの下降流反応容器５及び１５が描かれている。それらの間に熱交換機２０がある。各容器には、少なくとも１つの反応域が存在する。第１段反応、水素化分解は、容器５で行われる。第２段反応、水素化精製は容器１５で行われる。各容器は、３つの触媒層を有するとして描かれている。第１反応容器５は、最初の精油装置流れ１を分解するためのものである。第２反応容器１５は、第２の精油装置流れ１７から窒素含有及び芳香族分子を除去するためのものである。第１反応容器中の触媒容積と第２反応容器中の触媒容積の適切な比は、広範囲にわたり、第１精油装置流れと第２精油装置流れの比に依存する。通常の比は、一般に２０：１〜１：２０の間である。好ましい容積範囲は、１０：１〜１：１０の間である。より好ましい容積範囲は、５：１〜１：２の間である。
【００３１】
統合法では、第１の精油装置流れ１が水素に富むガスの流れ４と一緒になって、第１の原料油（ｆｅｅｄｓｔｏｃｋ）１２を形成する。炉３０から出た流れ、流れ１３は、第１反応容器５へ送られる。水素に富むガス流れ４は、５０％を超える水素を含有しており、残りは炭化水素ガスを含むさまざまな量の軽質ガスである。図に示した水素に富むガスの流れ４は、補給水素３及び循環水素２６の混合物である。循環水素を使用することは、一般に経済的理由から好ましいが、必ずしも必須ではない。第１の原料油１は、好ましくは水素化分解が行われる第１反応容器５に導入される前に、流れ１２として出てくる熱交換機１０などの１つ及び複数の熱交換機、及び（流れ１３として出てくる）ヒータ３０など１つ又は複数のヒータで加熱することができる。水素化精製は、好ましくは容器１５で行われる。
【００３２】
水素はまた、それぞれ第１及び第２反応段を冷却するために、経路６及び７、並びに９及び１１（これも又、水素の流れ４から来るのであるが）を通って冷却流れとして加えることができる。水素化分解からの流出液である流れ１４は、流れ２により熱交換機２０で冷却される。流れ２は、ディーゼル燃料範囲で沸騰し、ライトサイクルオイル、軽質軽油（ｌｉｇｈｔ  ｇａｓ  ｏｉｌ）、常圧軽油（ａｔｍｏｓｐｈｅｒｉｃ  ｇａｓ  ｏｉｌ）、又はそれらの混合物でよい。流れ２は、熱交換機２０から流れ１６として出て行き、熱交換機２０から出てくる流れ１４と合流して、混合原料油１７を形成する。流れ８中の水素は、容器１５に入る前に混合原料油１７と合流する。流れ１７は、水素化精製のために容器１５に入り、流れ１８として出る。
【００３３】
容器１５中で見られる第２反応段は、水素化精製触媒など少なくとも１つの触媒層を含んでおり、触媒層は、第２原料油中の窒素化合物の少なくとも一部及び芳香族化合物中の少なくとも一部を変換するのに十分な条件に維持されている。
【００３４】
水素の流れ４は、圧縮機４０からの循環水素でよい。或いは、流れ４は、本方法の外部にある水素供給源から来る、新しい水素の流れでもよい。
【００３５】
流れ１８、第２反応域の流出液は、熱交換機１０などの熱交換により回収できることもある熱エネルギーを含む。第２段流出液１８は、流れ１９として熱交換機１０から現れ、高温高圧分離機２５へ送られる。高温高圧分離機２５からの液体流出液、流れ２２は、分別に送られる。分離機２５からのオーバーヘッドガス流れ、流れ２１は、冷却のために流れ２３からの水と合流される。冷却されたばかりの流れ２１は、低温高圧分離機３５に入る。軽質液体は、（流れ２２に合流する）流れ２７で分別に送られ、サワー水は、流れ３４を通って除去される。ガス状のオーバーヘッド流れ２４は、硫化水素を除去するために、アミン吸収装置４５に向かう。次いで、精製された水素は、流れ２６を通って圧縮機４０へ向かい、再圧縮されて、再循環として及び反応域を冷却する冷却流れとして１つ又は複数の反応容器へ送られる。水素のかかる利用は、当技術分野ではよく知られている。
【００３６】
水素化変換法の例示的な分離構成は、米国特許第５，０８２，５５１号において教示されており、前記特許の開示は、その全体が参照によりあらゆる目的で本明細書に組み込まれる。
【００３７】
吸収装置４５は、反応段で発生することがあり反応流出液１９に存在することもある硫化水素及びアンモニアなどの汚染物を除去するために、反応流出液１９のガス成分を、アルカリ水溶液などの溶液と接触させる手段を含む。水素に富むガスの流れ２４は、好ましくは、１００°Ｆ〜３００°Ｆ又は１００°Ｆ〜２００°Ｆの範囲の温度で、分離域から除去される。
【００３８】
液体の流れ２２はさらに、精留塔５０で分離され、オーバーヘッドガソリンの流れ２８、ナフサの流れ２９、灯油留分３１、ディーゼル燃料３２及び精留塔ボトム３３を生成する。好ましい留出物生成物は、２５０°Ｆ〜７００°Ｆの温度範囲に沸騰範囲を有する。Ｃ５〜４００°Ｆの温度範囲にある沸騰範囲を有するガソリン又はナフサ留分も望ましい。
【００３９】
図３には、２つの下降流反応器容器５及び１５が描かれている。第１段反応、水素化分解は、容器５で行われる。第２段、水素化精製は、容器１５で行われる。各容器は、少なくとも１つの反応域を有する。各容器は、三段の触媒層を有するとして描かれている。第１反応容器５は、第１精油装置流れ１を分解するためのものである。第２反応容器１５は、第２精油装置流れ４３から、窒素含有及び芳香族分子を除去するためのものである。第１反応容器中の触媒容積と第２反応容器中の触媒容積の適切な容積比は、広範囲に渡り、第１精油装置流れと第２精油装置流れの比に依存する。通常の比は、一般に２０：１〜１：２０の間にある。好ましい容積比の範囲は、１０：１〜１：１０の間にある。より好ましい容積比は、５：１〜１：２の間にある。
【００４０】
統合法では、第１精油装置流れ１は、水素に富むガスの流れ４と合流して第１の原料油１２を形成し、第１反応容器５へ送られる。水素に富むガス流れ４は、５０％を超える水素を含み、残余は炭化水素のガスを含むさまざまな量の軽質ガスである。図に示した水素に富むガス流れ４は、補給水素３及び再循環水素２６の混合物である。一般に、再循環水素の流れを利用することは、経済的理由から好ましいが、そのことは必須ではない。第１原料油１は、水素に富むガス流れ４と一緒になって流れ１２を形成する前に、１つ又は複数の熱交換機或いは１つ又は複数のヒータで加熱することもできる。次いで、流れ１２は、好ましくは水素化分解が行われる第１段が設置されている、第１反応容器５に導入される。第２段は、容器１５に設置されており、その場所で、好ましくは水素化精製が行われる。
【００４１】
第１段からの流出液である流れ１４は、熱交換機２０で加熱される。流れ１４は、熱交換機２０から流れ１７として現れ、「高温／高温」高圧分離機５５へ向かう。液体の流れ３６は、「高温／高温」高圧分離機５５から出て、精留塔６０へ向かう。流れ３７は、ガソリン及びナフサの流出液の流れを表し、流れ３８は、再循環して水素化精製装置１５の入り口に戻ってきた留出物を表し、流れ３９は、清浄なボトムの材料を表す。
【００４２】
ガスの流れ３４は、「高温／高温」高圧分離機５５から出て、ディーゼル燃料範囲で沸騰する、ライトサイクルオイル、軽質軽油、常圧軽油、又はこれらの混合物でありうる流れ２と合流する。その流れは、水素化精製のために容器１５に入る前に、さらに、水素に富む流れ４に合流し、流れ１８として出て行く。
【００４３】
容器１５の中で見られる第２反応域は、水素化精製触媒などの触媒の少なくとも１つの触媒層を含んでおり、触媒は、第２原料油中の窒素化合物の少なくとも一部及び芳香族化合物の少なくとも一部を変換するのに十分な条件に保持されている。
【００４４】
水素の流れ４は、圧縮機４０からの再循環水素であってもよい。或いは、流れ４は、本方法の外部にある水素供給源からの新しい水素の流れであってもよい。
【００４５】
第２段流出液である流れ１８は、熱交換機１０などの熱交換により回収されうる熱エネルギーを含む。第２段流出液１８は、流れ１９として熱交換機１０から出て、高温高圧分離機２５に送られる。高温高圧分離機２５の液体流出液である流れ２２は、分別に送られる。分離機２５からの上部ガス流れである流れ２１は、冷却のために、流れ２３からの水に合流される。冷却されたばかりの流れ２１は、低温高圧分離機３５に入る。軽い液体は、（流れ２２と合流する）流れ２７で分別に送られ、サワー水は流れ４１を通って除去される。ガス状の上部流れ２４は、硫化水素ガスを除去するために、アミン吸収装置４５へ向かう。次いで、精製された水素が、流れ２６を通って圧縮機４０へ向かい、再圧縮されて、再循環品及び反応域を冷却するための冷却流れとして、１つ又は複数の反応容器へ送られる。水素のかかる使用法は、当技術分野ではよく知られている。
【００４６】
吸収装置４５は、反応段で発生することがあり反応流出液１９（流れ２４）に存在することもある硫化水素及びアンモニアなどの汚染物を除去するために、反応流出液１９のガス成分を、アルカリ水溶液などの溶液と接触させる手段を含む。水素に富むガスの流れ２４は、好ましくは、１００°Ｆ〜３００°Ｆ又は１００°Ｆ〜２００°Ｆの範囲の温度で、分離域から除去される。
【００４７】
液体の流れ２２は、さらに、精留塔５０で分離され、上部ガソリンの流れ２８、ナフサの流れ２９、灯油留分３１、ディーゼル燃料３２及び精留塔ボトム３３を生成する。好ましい留出物生成物は、２５０°Ｆ〜７００°Ｆの温度範囲に沸騰範囲を有する。Ｃ５〜４００°Ｆの温度範囲にある沸騰範囲を有するガソリン又はナフサ留分もまた望ましい。
【００４８】
供給原料
本発明の第１の実施形態では、広範囲のさまざまな炭化水素供給原料を用いる。通常の原料油は、３９２°Ｆ（２００℃）を超える沸点を有する、重質又は合成油流分或いは工程流れを含む。そのような原料油は、減圧軽油、重質常圧軽油（ｈｅａｖｙ  ａｔｍｏｓｐｈｅｒｉｃ  ｇａｓ  ｏｉｌ）、減圧残油、ディレードコーカー軽油（ｄｅｌａｙｅｄ  ｃｏｋｅｒ  ｇａｓ  ｏｉｌ）、ビスブレーカー軽油脱金属油（ｖｉｓｂｒｅａｋｅｒ  ｇａｓ  ｏｉｌ  ｄｅｍｅｔａｌｌｉｚｅｄ  ｏｉｌ）、常圧残油、脱歴油、フィッシャー−トロプシュ流れ、及びＦＣＣ流れを含む。
【００４９】
第２の実施形態の場合は、１つの適切な第１精油装置供給原料流れは、５００°Ｆ（２６０℃）を超える温度から始まり、通常は５００°Ｆ〜１１００°Ｆ（２６０℃〜５９３℃）の温度範囲にある沸騰範囲を有する、ＶＧＯである。精油装置流れの７５容積％が６５０°Ｆ〜１０５０°Ｆ（３４３℃〜５６５℃）の温度範囲で沸騰する流れは、第１反応域の例示的な原料油である。第１精油装置流れは、通常、有機窒素化合物として存在する窒素を含んでいる場合がある。第１反応域のＶＧＯの供給流れは、約２００ｐｐｍ未満の窒素及び０．２５重量％未満の硫黄を含むが、０．５重量％までの及びそれを超える窒素、並びに５重量％までの硫黄及びそれを超える硫黄を含有する供給原料を含む、より高水準の窒素及び硫黄を有する供給原料を、本方法で処理することができる。第１精油装置流れは、好ましくは、低アスファルテンの流れである。適切な第１精油装置流れは、約５００ｐｐｍ未満のアスファルテン、好ましくは約２００ｐｐｍ未満のアスファルテン、より好ましくは約１００ｐｐｍ未満のアスファルテンを含む。例示的な流れは、軽質軽油、重質軽油、直留軽油（ｓｔａｉｇｈｔ  ｒｕｎ  ｇａｓ  ｏｉｌ）、脱歴油（ｄｅａｓｐｈａｌｔｅｄ  ｏｉｌ）、などを含む。第１精油装置流れは、本方法に先立って、ヘテロ原子含有量を減少、又は実質的に消去するために、例えば、水素化精製法などにより処理されてもよい。第１精油装置流れは、再循環成分を含むこともある。
【００５０】
水素化分解反応ステップは、第１水素化分解反応域で第１精油装置供給原料流れから窒素及び硫黄を除去し、沸騰範囲を変換する結果、水素化分解反応域流出液の液体部分は、第１精油装置原料油の標準沸騰範囲（ｎｏｒｍａｌ  ｂｏｉｌｉｎｇ  ｒａｎｇｅ）を下回る標準沸騰範囲を有する。「標準（ｎｏｒｍａｌ）」は、Ｄ１１６０蒸留で測定されるような、一気圧における蒸留に基づく沸点又は沸騰範囲を意味する。別に明記しない限り、本明細書に記載されたすべての蒸留温度は、標準沸点及び標準沸騰範囲の温度を言う。第１水素化分解反応域におけるプロセスを、一定の分解変換、或いは所望する生成物の硫黄水準又は窒素水準又はその両方のために、制御することができる。一般に変換は、例えば、水素化分解装置の原料油の最小沸点などの基準温度に関連する。変換の程度は、基準温度を超える温度で沸騰する供給原料が、基準温度未満で沸騰する生成物に変換される割合に関連する。
【００５１】
水素化分解反応域の流出液は、通常は液相である成分、例えば第１精油装置流れの反応生成物及び未反応成分、並びに通常は気相である成分、例えば気相反応生成物及び未反応水素、を含む。本方法では、水素化分解反応域は、６５０°Ｆの基準温度に基づいて、第１精油装置流れの少なくとも２５％の沸騰範囲変換をもたらすのに十分な条件に維持される。従って、約６５０°Ｆを超えた温度で沸騰する第１精油装置流れの成分の、容積で少なくとも２５％が、第１水素化分解反応域で、約６５０°Ｆ未満の温度で沸騰する成分へ変換される。１００％という高変換水準での稼働も、また本発明の範囲にはいる。例示的な沸騰範囲変換は、約３０％〜９０％又は約４０％〜８０％の範囲である。水素化分解反応域の流出液は、窒素及び硫黄含有量をさらに減少させられ、第１精油装置流れ中の窒素含有分子の少なくとも約５０％が、水素化分解反応域で変換される。好ましくは、水素化分解反応域流出液中の通常は液体である流出液は、約１０００ｐｐｍ未満の硫黄及び約２００ｐｐｍ未満の窒素、より好ましくは、約２５０ｐｐｍ未満の硫黄及び約１００ｐｐｍ未満の窒素を含む。
【００５２】
触媒
どちらの実施形態におけるいずれの水素化処理域も、唯一つの触媒、又はいくつかの組合せ触媒を含む。好ましい実施形態では、第１領域では水素化分解が進行し続け、第２領域では水素化精製が進行し続ける。
【００５３】
一般に、水素化分解触媒は、分解成分、水素化成分、及び結合剤を含む。そのような触媒は、当業界では周知である。分解成分は、非晶質のシリカ／アルミナ、相及び／又はＹ又はＵＳＹゼオライトなどのゼオライトを含むことがある。高分解活性触媒は、しばしばＲＥＸ、ＲＥＹ及びＵＳＹゼオライトを使用している。結合剤は、一般にシリカ又はアルミナである。水素化成分は、ＶＩ族、ＶＩＩ族、又はＶＩＩＩ族の金属、或いはそれらの酸化物或いは硫化物であり、好ましくは、鉄、クロム、モリブデン、タングステン、コバルト、又はニッケル、或いはそれらの硫化物或いは酸化物の一種又は複数である。触媒中に存在する場合は、一般にこれらの成分は、重量で触媒の約５％〜約４０％を占める。或いは、貴金属、特に白金及び／又はパラジウムが単独で、若しくは卑金属水素化成分：鉄、クロム、モリブデン、タングステン、コバルト、又はニッケルと組み合わせて水素化成分として存在する。存在する場合は、白金族金属が、重量で触媒の約０．１％〜約２％を占める。
【００５４】
通常、水素化精製触媒は、硫黄及び窒素を除去し、ある程度芳香族を飽和させるように設計される。一般にその触媒は、アルミナなどの多孔性耐熱基板上に担持された、ＶＩ族の金属又はそれらの化合物、及びＶＩＩＩ族の金属又はそれらの化合物、の複合材料である。水素化精製触媒の例は、アルミナに担持されたコバルト−モリブデン、硫化ニッケル、ニッケル−タングステン、コバルト−タングステン及びニッケル−モリブデンである。通常、このような水素化精製触媒は、事前にスルフィド化される。
【００５５】
触媒の選択は、工程の要求及び生成物の仕様によって規定される。特に、少量のＨ２Ｓが存在するときは、第２段で貴金属触媒を使用することができる。低酸性度触媒は、留出物を過分解してガス及びナフサにするのを避けるために、第２段の水素化分解装置のボトムで使用することがある。
【００５６】
条件−水素化分解段
水素化分解反応域の反応条件は、約２５０℃〜約５００℃（４８２°Ｆ〜９３２°Ｆ）の反応温度、約３．５ＭＰａ〜約２４．２ＭＰａ（５００〜３５００ｐｓｉ）の圧力、及び約０．１〜２０ｈｒ−１の供給原料速度（油の容積／触媒の容積・時間）を有する。水素の循環速度は、一般に、約３５０標準リットルＨ２／ｋｇ油〜１７８０標準リットルＨ２／ｋｇ油（２３１０〜１１７５０標準立方フィート／バレル）の範囲である。好ましい反応温度は、約３４０℃〜約４５５℃（６４４°Ｆ〜８５１°Ｆ）の範囲である。好ましい全反応圧力は、約７．０ＭＰａ〜約２０．７ＭＰａ（１０００〜３０００ｐｓｉ）の範囲である。好ましい触媒系では、好ましい工程条件は、約１３．８Ｍｐａ〜約２０．７ＭＰａ（２０００〜３０００ｐｓｉ）の圧力、約３７９〜９０９標準リットルＨ２／ｋｇ油（２５００〜６０００標準立方フィート／バレル）の油に対するガスの比率、約０．５〜１．５ｈｒ−１のＬＨＳＶ、及び３６０℃〜４２７℃（６８０°Ｆ〜８００°Ｆ）の範囲の温度を含む水素化分解条件下で、石油原料油を水素と接触させることを含むことを発見した。
【００５７】
供給原料及び流出液の特性−水素化精製段
第２精油装置供給原料の流れは、一般に第１精油装置供給原料の流れより低い沸点範囲を有する。実際、第２精油装置供給原料流れのかなりの部分が、中間留分範囲内に標準沸点を有する結果、沸点を下げるための分解が必要でないことが、本方法の特徴である。従って、適切な第２精油装置の流れの少なくとも約７５容積％が、約１０００°Ｆ未満の標準沸点を有している。その成分の少なくとも約７５容積％が２５０°Ｆ〜７００°Ｆの範囲内に標準沸点を有する精油装置流れは、好ましい第２精油装置供給原料流れの例である。
【００５８】
本発明の方法は、高品位燃料に適していない中間留分流れを処理するのに、特に適している。例えば、本方法は、９０％までの芳香族化合物及びそれより多い量の芳香族化合物を含有する流れを含む、大量の窒素及び／又は大量の芳香族化合物を含む第２精油装置の流れを処理するのに適している。本方法で処理するのに適した例示的な第２精油装置供給原料流れは、原油蒸留、常圧塔ボトム（ａｔｍｏｓｐｈｅｒｉｃ  ｔｏｗｅｒ  ｂｏｔｔｏｍｓ）、又はコーカー軽油（ｃｏｋｅｒ  ｇａｓ  ｏｉｌ）、ライトサイクルオイル（ｌｉｇｈｔ  ｃｙｃｌｅ  ｏｉｌ）又はヘビーサイクルオイル（ｈｅａｖｙ  ｃｙｃｌｅ  ｏｉｌ）などの合成分解材からの、直留ディーゼル留分を含めた、直留減圧軽油を含む。
【００５９】
第１精油装置供給原料流れは、水素化分解段で処理された後、第１水素化分解域の流出液は第２原料油と一緒にされ、その組合せが水素化精製段で触媒上を水素と共に通過した。水素化分解された流出液は、水素化精製を行って除去すべき汚染物質を、既に比較的含まなくなっているので、水素化分解装置の流出液は、ほとんど変化しないまま水素化精製装置を通過する。水素化精製装置からの流出液中に留まっている未反応又は不完全反応供給原料は、そこに含まれている触媒の汚染を防止するために、水素化分解域から事実上分離される。
【００６０】
しかし、水素化分解装置流出液が存在することは、本統合法における重要な、予想外の経済的利益をもたらす。水素化分解装置を離れながら、流出液はかなりの熱エネルギーを持ち運ぶ。このエネルギーは、第２供給原料流れが水素化精製装置に入る前に、熱交換機中で第２反応器供給原料流れを加熱するのに用いることができる。これにより、他の場合に必要とされるものと較べて、より低温の第２供給原料流れを統合システムに添加することができ、炉の容積と加熱コストが節約できる。
【００６１】
第２原料油が、水素化精製装置を通過するときは、第２領域での発熱反応による加熱によって、温度が再び上昇する傾向がある。第２原料油中の水素化分解装置流出液は、ヒートシンクとして作用し、水素化精製装置の至る所で温度上昇を和らげる。水素化精製装置を離れる液体反応生成物に含まれるエネルギーは、さらに、加熱を必要とする他の流れと熱交換するために利用できる。一般に、水素化精製装置の出口温度は、水素化分解装置の出口温度より高い。この場合は、本発明は、より有効な熱伝達を行うために、第１水素化分解装置の供給原料温度を上げるという、さらなる熱伝達上の利点をもたらす。水素化分解装置からの流出液は、圧力を上昇させるための加熱又はポンプを必要とせずに、第１段水素化精製装置で用いる未反応水素を運ぶこともできる。
【００６２】
条件−水素化精製装置段
水素化精製装置は、第２精油装置の流れから来る窒素の少なくとも一部及び芳香族化合物の少なくとも一部を除去するのに十分な条件に維持されている。反応域内の発熱による加熱から温度勾配が生じ、１つ又は複数の反応域へ相対的に冷却された流れを加えることによりこれを和らげる場合を除いて、水素化精製装置は、水素化分解装置より低い温度で動作する。反応域を通る反応液体の流れの供給速度は、０．１〜２０ｈｒ−１液空間速度の範囲である。水素化精製装置を通る供給原料の速度は、水素化分解装置を通る供給原料速度と比較して、第２精油装置供給原料流れ中の液体供給量の分だけ上昇し、やはり、０．１〜２０ｈｒ−１液空間速度の範囲にある。第１反応域のために選択されたこれらの工程条件は、水素化精製法のために通常選択される条件より、厳しいと考えてよい。
【００６３】
とにかく、水素化精製装置で通常用いられる水素化精製条件は、約２５０℃〜約５００℃（４８２°Ｆ〜９３２°Ｆ）の反応温度、約３．５ＭＰａ〜約２４．２ＭＰａ（５００〜３５００ｐｓｉ）の圧力、及び約０．１〜２０ｈｒ−１の供給原料速度（油の容積／触媒の容積・時間）を有する。水素の循環速度は、一般に、約３５０標準リットルＨ２／ｋｇ油〜１７８０標準リットルＨ２／ｋｇ油（２３１０〜１１７５０標準立方フィート／バレル）の範囲である。好ましい反応温度は、約３４０℃〜約４５５℃（６４４°Ｆ〜８５１°Ｆ）の範囲である。好ましい全反応圧力は、約７．０ＭＰａ〜約２０．７ＭＰａ（１０００〜３０００ｐｓｉ）の範囲である。好ましい触媒系では、好ましい工程条件は、約１６．０Ｍｐａ（２３００ｐｓｉ）の圧力、約３７９〜９０９標準リットルＨ２／ｋｇ油（２５００標準立方フィート／バレル〜６０００標準立方フィート／バレル）のガスと油の比、約０．５〜１．５ｈｒ−１の液空間速度（ＬＨＳＶ）、及び３６０℃〜４２７℃（６８０°Ｆ〜８００°Ｆ）の範囲の温度を含む水素化分解条件のもとに、層状触媒システムの存在下で石油原料油を水素と接触させることを含むことを発見した。これらの条件下では、芳香族化合物の少なくとも約５０％が、水素化精製装置内で第２精油装置流れから除去される。第２精油装置流れにある窒素の３０〜７０％又はそれを超える量が、この工程で除去されることが期待される。しかし、水素化精製装置内での分解変換は、一般に小さく、通常は２０％未満である。精油装置流れの芳香族含有量及び窒素含有量の測定には、標準法が利用できる。これらは、約１５００ｐｐｍを超える窒素を含む流れの窒素含有量を測定するための、ＡＳＴＭ  Ｄ５２９１を含む。ＡＳＴＭ  Ｄ５７６２は、約１５００ｐｐｍ未満の窒素を含む流れの窒素含有量を測定するのに使用することができる。ＡＳＴＭ  Ｄ２００７もまた、精油装置流れの芳香族含有量を測定するのに使用することができる。
【００６４】
生成物
本発明の実施形態は、約２５０〜７００°Ｆ（１２１〜３７１℃）の範囲で沸騰する中間留分の製造に特に有用である。中間留分は、約２５０〜７００°Ｆのおよその沸騰範囲を有するものと定義される。中間留分成分の少なくとも７５容積％、好ましくは８５容積％が、２５０°Ｆを超える標準沸点を有する。中間留分成分の少なくとも約７５容積％、好ましくは８５容積％が７００°Ｆ未満の標準沸点を有する。「中間留分」という用語は、ディーゼル燃料、ジェット燃料及び灯油沸騰範囲留分を含む。灯油又はジェット燃料の沸点範囲は、２８０〜５２５°Ｆ（３８〜２７４℃）の範囲を云う。
【００６５】
ガソリン又はナフサも本発明の方法で製造されうる。ガソリン又はナフサは、通常、４００°Ｆ（２０４℃）未満、又はＣ５〜の範囲で沸騰する。どの精油装置でも回収されるさまざまな生成物留分の沸騰範囲は、原油源の特性、局地的な精油装置市場及び生成物の価格などの要因により変動する。
【００６６】
本発明の他の生成物である、重質水素化精製軽油は、通常、５５０〜７００°Ｆの範囲で沸騰する。
【実施例１】
【００６７】
これらは、図１に描かれた方法を用いて得られた条件及び結果である。
【表１】
2005520918.tif 000003
【００６８】
一般に、セタンの引き上げは、２０〜４５であり、灯油煙点の向上は、７〜２７ｍｍである。
【図面の簡単な説明】
【００６９】
【図１】段間高温ストリッパ及び段間高温分離機の使用を示す図である。
【図２】熱交換機によって隔てられた単一水素ループ中の、直列の水素化分解装置及び水素化精製装置を示す図である。軽質及び重質物質が互いに分離される。水素及び硫化水素を、軽質生成物から分離することができる。水素は圧縮されて再循環される。生成物は精留塔へ送られる。
【図３】その後に分離及び分別を伴う水素化分解ステップを示す図である。上部から除去された材料は、軽い芳香族の流れと一緒にされ、水素化精製される。水素は、水素化精製された流出液から分離され、再循環される。生成物は、精留塔へ送られる。
【図１】
2005520918.tif 000004
【図２】
2005520918.tif 000005
【図３】
2005520918.tif 000006
【国際調査報告】
2005520918.tif 000007